(57)【要約】【課題】金管楽器のベルに装着される金管楽器用音響変更器において、楽器内部の定在波に影響すること無く、音響変更器内部の音を効率良く集音し、外界に向けて、これまでに無い金属的な特殊音を、大音量で放射させることができる新しい音響変更器の提供である。【解決手段】金管楽器のベルに装着される金管楽器用音響変更器において、底部と筒状の胴部から構成され、前記底部に楽器内部の定在波に影響を与えない大きさの連通孔を設け、その連通孔から、音響変更器内外両方向に向かう金管楽器のベル状の突出部を持つことを最も主要な特徴とする。【選択図】        図２
2004240347.tif 000002
【特許請求の範囲】
【請求項１】
金管楽器のベルに装着される金管楽器用音響変更器において、底部と筒状の胴部から構成され、前記底部に楽器内部の定在波に影響を与えない大きさの連通孔を設け、その連通孔から、音響変更器内外両方向に向かう金管楽器のベル状の突出部を持つ金管楽器用音響変更器。
【発明の詳細な説明】
【０００１】
【発明が属する技術分野】
本発明は、金管楽器用音響変更器に関するものである。
【０００２】
【従来の技術】
金管楽器のベルに装着される金管楽器用音響変更器には、様々な種類が存在する。これは、金管楽器本来の音を、それらの音響変更器を装着することに依って、様々な音色に変化させる目的の音色変更器と、消音を目的とする消音器があるが、日常的には区別されず、どちらも総称して弱音器またはミュートと呼ばれている。
【０００３】
音色を変更する目的のミュートは、ストレート、カップ、ワウワウなどの種類が存在するが、それらは、材質や形状の影響で、多様に音色が変化する。言い換えれば、音楽は常に音色の多様性を求めて、様々な音響変更器を望んでいるのである。一方、消音を目的とするミュートは、その消音性能の向上と自然な吹奏感覚の両立が重要である。
【０００４】
従来品の中には、図３で示すように、ミュート先端部または底部から外側に向かう金管楽器のベル状または椀状の突出部を有する種類も存在している。この突出部の役目は、本発明のアウターベル４と同じ役目をするもので、ミュート内部の音を外界に放射させる役目である。しかし、これらは、ミュート内部の音を効率良く集音する構造になっていないため、結果的に、十分な音量が得られ無いという欠点があった。
【０００５】
これらミュート先端または底部に突出部を有する従来品に対して、外界に放射される音量の増加を目的として、その音の出口である連通孔５の拡大を行うと、楽器内部の定在波にまで影響してしまい、正しい音程で演奏することさえ不可能となってしまうという重大な問題が発生する。
【０００６】
【発明が解決しようとする課題】
本発明が解決しようとする課題は、金管楽器のベルに装着される金管楽器用音響変更器において、楽器内部の定在波に影響すること無く、音響変更器内部の音を効率良く集音し、外界に向けて、これまでに無い金属的な特殊音を、大音量で放射させることができる新しい音響変更器の提供である
【０００７】
【課題を解決するための手段】
本発明は、金管楽器のベルに装着される金管楽器用音響変更器において、底部と筒状の胴部から構成され、前記底部に楽器内部の定在波に影響を与えない大きさの連通孔を設け、その連通孔から、音響変更器内外両方向に向かう金管楽器のベル状の突出部を持つことを最も主要な特徴とする。
【０００８】
【発明の実施の形態】
従来品の金管楽器用ミュートの底部に楽器内部の定在波に影響を与えない大きさの連通孔を設け、その連通孔から、音響変更器内外両方向に向かう金管楽器のベル状の突出部を備える構造で実現した。
【０００９】
【実施例】
図１は、本発明である音響変更器の実施例１の断面図である。１は胴、２は底、３はインナーベル、４はアウターベル、５は連通孔、６は金管楽器のベル、７はパッキンである。また、図２および図３においても、同番号は同様な部品を示すものである。
【００１０】
インナーベル３が音響変更器内部の音を効率良く集音し、楽器内部の定在波に影響を与えない大きさの連通孔５が、集音された音の高音成分を選択通過させ、アウターベル４が増幅放射する。その結果、これまでに無い金属的な音を、大音量で放射させることができるのである。本発明は、楽器内部の定在波に影響しない連通孔を備えるという条件にあるので、金管楽器内部の定在波に関する説明は省略する。
【００１１】
図２で示す実施例２の楽器内部の定在波に影響しない連通孔５の内径は、φ９ｍｍであるが、トランペットの様な高音域の楽器には、より小径の連通孔が必要で、逆に、チューバの様な低音域の楽器には、より大径の連通孔が相応しい。これらの実際数値は、音響変更器の種類や対応する楽器の音響特性に依って、変化するものである。従って、一定の値では無い。
【００１２】
音響変更器内部の音を効率良く集音する役目のインナーベル３の形状は金管楽器のベル状に限らず、椀状、ロート状などの形状も可能である。それぞれの形状や大きさに依って、音色および音量を変化させることが可能である。
【００１３】
アウターベル４の形状も、金管楽器のベル状に限らず、椀状、ロート状などの形状も可能である。それぞれの形状や大きさに依って、音色および音量を変化させることが可能である。
【００１４】
楽器内部の定在波に影響しない範囲で、連通孔５の長さや大きさを、変化させることに依って、選択透過させる音およびその音量を変化させることが可能である。長く小さい連通孔の場合、高音成分が増加するが、音量が減少する。逆に、短く大きい連通孔の場合、低音成分が増加し、音量が増加する。
【００１５】
図２の実施例２は、金管楽器の消音を目的とした金管楽器用消音器に本発明を実施したものである。
【００１６】
本来、消音を目的にした金管楽器用消音器からは、ささやき声程度の音量が外界に漏れ出る程度である。この消音器に本発明の構造を実施すれば、楽器内部で鳴っている大音量の音から高音成分のみを取り出すことが可能であるため、外界に金属的な音のみを、大音量で放射させることが可能になる。その音は、非常に特殊なビィーンという金属的なものとなる。いわゆる、ホルンのゲシュトップ奏法と同じ金属的な音を、大音量で発生させることが可能となり、これまでに無い新しい音響を全ての金管楽器が得られるのである。
【００１７】
【発明の効果】
以上説明したように本発明の金管楽器音響変更器は、従来の音色変更を目的とした音色変更器の音色に、金属的な音を含ませることが可能になるため、多様な音色の変化を実現できるものである。この結果、音の多様化を求める音楽そのものに、積極的に有効である。一方、消音を目的とした消音器においては、それ自体、外部に漏れ出る音が極少であるため、金属的な音だけを、外界に大音量で放射させることが可能になる。特に、この新しくて衝撃的な音色は、万人を驚かせるに十分な音であるため、将来の音楽に活かされる可能性が、非常に大である。
【図面の簡単な説明】
【図１】金管楽器用音響変更器の実施方法を示した説明図である。（実施例１）
【図２】金管楽器用音響変更器の実施方法を示した説明図である。（実施例２）
【図３】金管楽器用音響変更器の従来例を示した説明図である。（従来例）
【符号の説明】
１    胴
２    底
３    インナーベル
４    アウターベル
５    連通孔
６    金管楽器のベル
７    パッキン
【図１】
2004240347.tif 000003
【図２】
2004240347.tif 000004
【図３】
2004240347.tif 000005